(57)【特許請求の範囲】
【請求項１】
結合すべき一方の部材には、第２の係合孔を挟むようにして、長い挿入部とその側方に連通させた短い嵌合部とからなる２つの鉤型をなす第１の係合孔を間隔をおいて形成し、他方の部材には、前記一方の部材の肉厚に相当する長さ及び前記嵌合部よりも狭い巾を有する脚部と、頭部とからなる鉤形の第１の係合片と、前記第１及び第２の係合孔との間の距離に相当する間隔を隔て、かつ側方には前記第１の係合片の脚部を前記嵌合部に嵌合させた状態のもとで前記第２の係合孔と係合し合う位置に突設した第２の係合片とを設け、さらに、前記第１の係合片の間隔が、前記第１の係合片が前記第１の係合孔に係合した状態で、前記第２の係合片が前記一方の部材に衝突した状態で弾性変形できる程度である２部材の係合機構。
【発明の詳細な説明】
【０００１】
【発明の属する技術分野】
本発明は２つの部材同士を結合する結合機構に関する。
【０００２】
【従来の技術】
例えば連続紙を扱うプリンタでは、書込みに際し給紙する連続紙がコネクタなどの突起部に引掛ることがないように、プリンタ本体の背面にこの連続紙を案内する紙案内を突設させている。
【０００３】
このような紙案内は、通常、結合面の両端に突設した反し爪付きの係合片を、プリンタ本体背面に設けた係合孔に弾性変形させながら結合するようにしているが、このような結合手段では、係合片を所要量撓ませるために紙案内を必要以上に高く形成しなければならないといった問題を有するほか、係合孔の間隔と係合片の間隔との間に成形上僅かな違いがあっても係合が甘くなって外れ易くなるといった不都合を有している。
【０００４】
【発明が解決しようとする課題】
本発明はこのような問題に鑑みてなされたもので、その目的とするところは、部材の形状等に影響を与えることなく、これらを確実に結合することのできる新たな２部材の結合機構を提供することにある。
【０００５】
【課題を解決するための手段】
すなわち、本発明はこのような課題を達成するための２部材の結合機構として、合すべき一方の部材には、第２の係合孔を挟むようにして、長い挿入部とその側方に連通させた短い嵌合部とからなる２つの鉤型をなす第１の係合孔を間隔をおいて形成し、他方の部材には、前記一方の部材の肉厚に相当する長さ及び前記嵌合部よりも狭い巾を有する脚部と、頭部とからなる鉤形の第１の係合片と、前記第１及び第２の係合孔との間の距離に相当する間隔を隔て、かつ側方には前記第１の係合片の脚部を前記嵌合部に嵌合させた状態のもとで前記第２の係合孔と係合し合う位置に突設した第２の係合片とを設け、さらに、前記第１の係合片の間隔が、前記第１の係合片が前記第１の係合孔に係合した状態で、前記第２の係合片が前記一方の部材に衝突した状態で弾性変形できる程度であるように構成されている。
【０００６】
【作用】
このように構成したことにより、第１の係合孔に第１の係合片を挿入した上、これを下方に、ついで側方に変位させることにより第１の係合片の脚部を第１の係合孔の嵌合孔に嵌合させ、この状態で第２の係合片を第２の係合孔に合致させることによって２つの部材を結合する。
【０００７】
【発明の実施の形態】
そこで以下に本発明の実施例について説明する。
図面はプリンタ本体へ紙案内を結合する機構として構成した本発明の一実施例を示したものである。
【０００８】
図３において符号１は、プリンタ本体１０の背面板１１に取付ける紙案内で、この紙案内の取付け面２には、その両端に第１の係合片３、３が、中央一側に第２の係合片４が突出形成されていて、これらをプリンタ本体１０の背面１１に穿った第１、第２の係合孔１３、１３、１４に嵌込むように構成されている。
【０００９】
図２は、これらの係合片３、４及び係合孔１３、１４の形状と、位置と、これらの取付け順について示したものである。
【００１０】
紙案内１の両端に設ける第１の係合片３は、プリンタ本体１０の背面板１１の板厚に相当する高さを有する脚部３ａと、この脚部３ａから若干テーパー状に開いた形状をもって下方へと延びる頭部３ｂとからなる略鉤型状の係合片として形成されている。
【００１１】
一方、この第１の係合片３を受入れる第１の係合孔１３は、第１の係合片３の頭部３ｂを通す長い挿入部１３ａと、その一側下方に連通する脚部３ａ嵌合用の短い嵌合部１３ｂとからなるＬ字状の孔として形成されている。
【００１２】
これに対して、紙案内の中央部に設ける第２の係合片４は、第１の係合片３を第１の係合孔１３に挿入した状態では第２の係合孔１４の一側上方に外れて位置し、第１の係合片３の脚部３ａを第１の係合孔１３の嵌合部１３ｂに嵌合させた状態では第２の係合孔１４内に挿入できるような位置に設けられている。
【００１３】
このような係合片３、４を設けた紙案内２をプリンタ本体１０の背面板１１に取付けるには、はじめに、図２（ａ）に示したように、紙案内の両端に突設した第１の係合片３、３を背面板１１に設けた第１の係合孔１３の挿入部１３ａに挿入する。しかしながら、この状態では、紙案内２の中央部に設けた第２の係合片４は第２の係合孔１４と合致せず、背面板１１上に当接している。
【００１４】
つぎに、紙案内２の両端を背面板１１側に押圧しながら第１の係合片３、３を下方へ押下げると、図２（ｂ）に示したように、第１の係合片３の頭部３ｂは背面板１１の裏側に入り込み、この頭部３ｂによって紙案内２を背面板１１に結合する。
【００１５】
一方、この状態では、第２の係合片４は未だ第２の係合孔１４に合致することなくその側方に位置するため、紙案内２は、中央部を上向きに反らせた状態で第２の係合片４を背面板１１に圧接させている。
【００１６】
そして最後に、紙案内２の両端を押圧しながら第１の係合片３、３を第１の係合孔１の嵌合部１３ｂ側にズラすと、図２（ｃ）に示したように、第１の係合片３は、その脚部３ａを第１の係合孔１３の嵌合部１３ｂに入り込ませて紙案内を面方向に固定し、他方、この嵌合部１３ｂ側への変位により、第２の係合片４は第２の係合孔１４と合致し、弓状に反り返った紙案内２自体の弾性によってこの第２の係合辺４を第２の係合孔１４内に嵌入し、これによって紙案内２をプリンタ本体１０の背面板１１に動くことなく強固に結合固定する。
【００１７】
なお、以上はプリンタ本体１０へ紙案内２を結合する機構の例によって本発明を説明したものであるが、これ以外に、例えば電気製品のケース本体とカバーといった比較的大きな２つの部材、つまり、係合操作の第２の段階で、中央部の第２の係合片により部材相互が少なくとも弾性限界の範囲内で反り返り得る程度の大きさの部材であれば、これらの部材同士の係合に本発明に係る結合機構を適用することができる。
【００１８】
また上述した実施例では、第１の係合片を片方の部材の両端、つまり紙案内の両端に設けるようにしたものであるが、第２の結合段階で片方の部材が弾性変位可能な距離であれば、第１の係合片を必ずしも片方の部材の両端に設ける必要はない。
【００１９】
【発明の効果】
以上述べたように本発明によれば、一方の部材に設けた鉤形をなす第１の係合孔に他方の部材に設けた第１の係合片を嵌合させ、この状態でのみ合致する合致する第２の係合片と第２の係合孔とを係合させるようにしたので、係合片と係合孔との間に成形上多少の誤差があったとしても、これら嵌合することによって２つの部材を面方向にも板厚方向にも不動に結合することができるばかりでなく、第１の係合片と第１の係合孔とが係合した段階で、これらの部材に生じさせた大きな弾性変形を利用して第２の係合孔に第２の係合片を係合させることができるため、２つの部材を自動的かつ、強固に結合固定することができる。
【００２０】
また、この結合機構をプリンタの紙案内部材に適用することにより、紙案内部材に求められる形状、大きさの範囲内で第１の係合片を一体的に形成することができるとともに、これを単にプリンタ本体に嵌め合わせるだけで紙案内を確実に結合させることができて、この種のプリンタの製作コストを大巾に軽減することができる。
【図面の簡単な説明】
【図１】（ａ）（ｂ）は本発明の一実施例をなす２部材の結合機構を示した側面図である。
【図２】（ａ）乃至（ｃ）は同上結合機構の位置、形状及び組付け順を示した図である。
【図３】プリンタに適用した実施例を示す斜視図である。
【符号の説明】
１  紙案内
３  第１の係合片
４  第２の係合片
１１  背面板
１３  第１の係合孔
１４  第２の係合孔
【図１】
0003628838.tif 000002
【図２】
0003628838.tif 000003
【図３】
0003628838.tif 000004